(57)【要約】【課題】            径の異なるコインをそれぞれ左右２個所で安定して支持できるとともに、径の大きな倒れ易いコイン程、コインの上部で安定して支持することができるコイン投入器を提供することを課題としている。【解決手段】        前後方向へ平行に指向した複数対のコイン支持突条21、22、23が、前後鉛直面を中心に左右対称に形成され、前記複数対のコイン支持突条21、22、23は、最も下方に位置する対をなした最下コイン支持突条21間の間隔が狭く、次に上方に位置する対をなした次コイン支持突条22間の間隔が次に広く、コイン支持突条21、22、23の位置が高くなるにつれて該コイン支持突条21、22、23間の間隔が順次広くなるように設定されている。【選択図】          図９
2006068170.tif 000002
【特許請求の範囲】
【請求項１】
コイン受口と、当該コイン受口の前方に配置されたコイン誘導路とを備え、
複数のコインを、コイン進行方向に対しコイン主面が略垂直になるように、前記コイン誘導路に載置し、前記複数のコインを移動させて、前記コイン受口に順次投入するように構成されたコイン投入器であって、
前記コイン誘導路には、前記コインの進行方向に沿って延長し前記コイン受口に達する複数の突条が複数対設けられており、
前記突条の先端の高さが、前記コイン誘導路に載置されたコインが進行する進行方向に対し垂直な断面において、左右対称に、かつ、中央から左右に向かうそれぞれの方向において順次高くなっており、
前記コイン誘導路に載置されたコインの側面が、前記左右対称に設けられた複数対の突条のうち１対の突条の先端にそれぞれ接する構成となることを特徴とするコイン投入器。
【請求項２】
前記複数対の突条の先端部は、中央において極小となる放物線を母線とする凹面に位置していることを特徴とする請求項１記載のコイン投入器。
【請求項３】
前記コイン誘導路は、曲線を母線とする凹曲面を有しており、
複数対の突条は、前記凹曲面上に立設していることを請求項１または２記載のコイン投入器。
【請求項４】
コイン受口と、当該コイン受口の前方に配置されたコイン誘導路とを備え、
複数のコインをコイン進行方向に対しコイン主面が、略垂直になるように、前記コイン誘導路に載置し、前記複数のコインを移動させて、前記コイン受口に順次投入するように構成されたコイン投入器であって、
前記コイン誘導路には、前記コインの進行方向に沿って延長し、前記コイン受口に達する複数のコイン支持面が複数対設けられており、
前記コイン支持面の傾きが、前記コイン誘導路に載置されたコインが進行する進行方向に対し垂直な断面において、左右対称に、かつ、中央から左右に向かうそれぞれの方向において順次急勾配になっており、
前記コイン誘導路に載置されたコインの側面が、前記左右対称に設けられた複数対のコイン支持面のうち１対の面のみに、それぞれ点で接する構成となることを特徴とするコイン投入器。
【請求項５】
前記突条は、少なくとも３対設けられており、少なくとも３種類の異なる径のコインの投入に対応している請求項１ないし４のいずれかに記載のコイン投入器。
【請求項６】
前記コイン受口は、少なくとも１枚分のコインが落下し得るスリットによって構成されている請求項１ないし５のいずれかに記載のコイン投入器。
【請求項７】
前記コイン誘導路は、前記コイン受口に向かって上り勾配に形成されている請求項１ないし６のいずれか記載のコイン投入器。
【請求項８】
コイン受口と、当該コイン受口の前方に配置されたコイン誘導路とを備え、
複数のコインをコイン進行方向に対しコイン主面が略垂直になるように前記コイン誘導路に載置し、前記複数のコインを移動させて前記コイン受口に順次投入するように構成されたコイン投入器であって、
前記コイン誘導路は、前記コイン受口に向かって上り勾配に形成されていることを特徴とするコイン投入器。
【請求項９】
請求項１ないし８いずれか記載のコイン投入器にコインを投入して行うゲーム装置であって、
前記コイン投入器のコイン受口に投入されたコインの通過を検出するコイン検出手段と、
前記検出手段による検出信号に基づいてコインをカウントするカウント手段と、
前記カウント手段によるカウント値とこれ迄にペイアウトされたペイアウト値とからペイアウト率を演算する演算手段と、
該演算手段で演算された前記ペイアウト率に基づいてコインを払い出すコイン払出手段と
を有することを特徴としたゲーム装置。
【請求項１０】
請求項１ないし９いずれか記載のコイン投入器にコインを投入して行うゲーム装置であって、
ゲーム画像を表示する表示部と、
操作部を配置された操作台とを有し、
前記コイン投入器は、
前記コイン誘導路に配置された複数のコインが移動するコイン移動方向が、前記表示部の表示面を見る操作者の視線方向と略同一となるように、前記操作台に配置されることを特徴とするゲーム装置。
【発明の詳細な説明】
【技術分野】
【０００１】
本発明は、コイン（本明細書および特許請求の範囲において、コインはメダルや貨幣を意味してもよい）を取り扱う遊戯機において、コインの投入を受け入れるコイン投入器に関するものである。
【背景技術】
【０００２】
複数枚のコインを前後（本明細書では重ねる方向を前後としたが、上下でなければ、左右またはその他の方向でよい）に重ねた状態でコイン投入器に載せ、コインを順次１枚ずつ投入することができるように構成されたコイン投入器は、特許文献１に開示されている。
【０００３】
このコイン投入器０１では、図１５に図示されるように、巾が一定の板金の巾中央を対称中心として左右に一定の巾離れた個所を折り目０２にして約４５°上方へ折り曲げて、一定巾の平板状底壁０３と、平板状傾斜壁０４を形成している。
【０００４】
このようなコイン投入器０１では、コイン０５より小径のコイン０６をコイン投入器０１に載置すると、コイン０６は、底壁０３に当接し、両方の平板状傾斜壁０４に同時に接続支持されることが不可能となってい不安定である。
【０００５】
このような不具合を解消した図１６に図示された従来のコイン投入器０１０では、左右巾方向中央に矩形状溝状凹部０１１が配置され、その溝状凹部０１１の両側上縁から水平面に対し約２５°傾斜した傾斜壁０１２が形成されている。
【０００６】
【特許文献１】特開２００４−８５０３号公報
【発明の開示】
【発明が解決しようとする課題】
【０００７】
図１６および図１７に図示のコイン投入器０１０では、傾斜壁０１２の傾斜角度が小さいため、コイン径が異なる種々のコイン０１３、０１４、０１５を支持することができるものの、傾斜壁０１２の傾斜角度が小さいため、接点間の水平距離が短く、コイン０１３、０１４、０１５が不安定に支持されていた。
【０００８】
本発明は、このような不具合を解消したコイン投入器の改良に係り、請求項１ないし請求項６記載の発明は、接点間の水平距離を長くでき、径の異なるコインをそれぞれ左右２個所で安定して支持できるとともに、径の大きな倒れ易いコイン程、コインの上部で安定して支持することができるコイン投入器を提供することを目的としている。
【課題を解決するための手段】
【０００９】
請求項１記載の発明は、コイン受口と、当該コイン受口の前方に配置されたコイン誘導路とを備え、複数のコインを、コイン進行方向に対しコイン主面が略垂直になるように、前記コイン誘導路に載置し、前記複数のコインを移動させて、前記コイン受口に順次投入するように構成されたコイン投入器であって、前記コイン誘導路には、前記コインの進行方向に沿って延長し前記コイン受口に達する複数の突条が複数対設けられており、前記突条の先端の高さが、前記コイン誘導路に載置されたコインが進行する進行方向に対し垂直な断面において、左右対称に、かつ、中央から左右に向かうそれぞれの方向において順次高くなっており、前記コイン誘導路に載置されたコインの側面が、前記左右対称に設けられた複数対の突条のうち１対の突条の先端にそれぞれ接する構成となることを特徴とするコイン投入器。である。
【００１０】
請求項２記載の発明は、前記複数対の突条の先端部は、中央において極小となる放物線を母線とする凹面に位置していることを特徴とする請求項１記載のコイン投入器である。
【００１１】
請求項３記載の発明は、前記コイン誘導路は、曲線を母線とする凹曲面を有しており、複数対の突条は、前記凹曲面上に立設していることを請求項１または２記載のコイン投入器である。
【００１２】
請求項４記載の発明は、コイン受口と、当該コイン受口の前方に配置されたコイン誘導路とを備え、複数のコインをコイン進行方向に対しコイン主面が、略垂直になるように、前記コイン誘導路に載置し、前記複数のコインを移動させて、前記コイン受口に順次投入するように構成されたコイン投入器であって、前記コイン誘導路には、前記コインの進行方向に沿って延長し、前記コイン受口に達する複数のコイン支持面が複数対設けられており、前記コイン支持面の傾きが、前記コイン誘導路に載置されたコインが進行する進行方向に対し垂直な断面において、左右対称に、かつ、中央から左右に向かうそれぞれの方向において順次急勾配になっており、前記コイン誘導路に載置されたコインの側面が、前記左右対称に設けられた複数対のコイン支持面のうち１対の面のみに、それぞれ点で接する構成となることを特徴とするコイン投入器である。
【００１３】
請求項５記載の発明は、前記突条は、少なくとも３対設けられており、少なくとも３種類の異なる径のコインの投入に対応している請求項１ないし４のいずれかに記載のコイン投入器である。
【００１４】
請求項６記載の発明は、前記コイン受口は、少なくとも１枚分のコインが落下し得るスリットによって構成されている請求項１ないし５のいずれかに記載のコイン投入器である。
【００１５】
請求項７記載の発明は、前記コイン誘導路は、前記コイン受口に向かって上り勾配に形成されている請求項１ないし６のいずれか記載のコイン投入器である。
【００１６】
請求項８記載の発明は、コイン受口と、当該コイン受口の前方に配置されたコイン誘導路とを備え、複数のコインをコイン進行方向に対しコイン主面が略垂直になるように前記コイン誘導路に載置し、前記複数のコインを移動させて前記コイン受口に順次投入するように構成されたコイン投入器であって、前記コイン誘導路は、前記コイン受口に向かって上り勾配に形成されていることを特徴とするコイン投入器である。
【００１７】
請求項９記載の発明は、請求項１ないし８いずれか記載のコイン投入器にコインを投入して行うゲーム装置であって、前記コイン投入器のコイン受口に投入されたコインの通過を検出するコイン検出手段と、前記検出手段による検出信号に基づいてコインをカウントするカウント手段と、前記カウント手段によるカウント値とこれ迄にペイアウトされたペイアウト値とからペイアウト率を演算する演算手段と、該演算手段で演算された前記ペイアウト率に基づいてコインを払い出すコイン払出手段とを有することを特徴としたゲーム装置である。
【００１８】
請求項１０記載の発明は、請求項１ないし９いずれか記載のコイン投入器にコインを投入して行うゲーム装置であって、ゲーム画像を表示する表示部と、操作部を配置された操作台とを有し、前記コイン投入器は、前記コイン誘導路に配置された複数のコインが移動するコイン移動方向が、前記表示部の表示面を見る操作者の視線方向と略同一となるように、前記操作台に配置されることを特徴とするゲーム装置である。
【発明の効果】
【００１９】
請求項１記載の発明では、径の異なるコインは、それぞれ、その径に対応した１対のコイン支持突条のみに支持されるので、該コインの中心から鉛直下方に向う重力が、該１対のコイン支持突条間の中央を通る結果、前記コインは安定して支持される。
【００２０】
請求項２記載の発明では、請求項１で奏せられる効果、すなわち、径の異なるコインをその径に対応した１対のコイン支持突条のみで支持して、安定してコインを支持することができる。
【００２１】
請求項３記載の発明では、前記複数対の突条は、略均等の突出長さで足りるので、突条の形成は楽となり、かつどの突条でも確実にコインを支持することができる。
【００２２】
請求項４記載の発明では、複数対の面の内、投入しようとするコインの径に対応する１対の面でもって該コインを安定して支持することができる。
【００２３】
請求項５記載の発明では、少なくとも径の異なる３種類のコインを３対以上のコイン支持突条で安定して支持することができる。
【００２４】
請求項６記載の発明では、１枚以上のコインをスリットから投入することができる。
【００２５】
請求項７記載の発明では、コイン支持突条またはコイン支持面上に前後へ多数重ねられた状態で置かれたコインを鉛直面に沿い親指で安定して保持できるとともに、この親指を奥側に向けて移動させることによって、該コインをゲーム装置に安定して投入することができる。
【００２６】
請求項８記載の発明では、コイン誘導路に前後へ多数重ねられて載置されたコインを奥側に移動させることによって、該コインをゲーム装置に安定して投入することができる。
【００２７】
請求項９記載の発明では、コイン投入器に投入されたコイン投入枚数と、ペイアウトされたコイン払い出し枚数とに基づいてペイアウト率を演算し、ペイアウト枚数が少ない場合には、ペイアウト率を高め、またペイアウト枚数が多い場合には、ペイアウト率を低めて、射倖性を低下することができる。
【００２８】
請求項１０記載の発明では、ゲーム装置で、ゲームを行なっているプレーヤは、ゲーム画像を表示する表示部に正対しているので、その姿勢でかつその視線の方向に向いたまま、コインを手前側から奥側に容易にコインを移動させて、コインの投入を行なうことができる。
【発明を実施するための最良の形態】
【００２９】
以下、図１ないし図９に図示された本発明の一実施形態について説明する。
【００３０】
本発明のコイン投入器10は、図１および図２に図示されるビンゴゲーム装置１に付設されるもので、ビンゴゲーム装置１の中央には、鉛直軸を中心に一方向へ回転可能にターンテーブル２が配設され、このターンテーブル２には、番号がそれぞれ付された多数の孔（図示されず）が形成されており、ターンテーブル２の上面の外周縁近くで、ターンテーブル２の回転方向と逆方向へ図示されないボールが放出され、該ボールがターンテーブル２の上面を転がりながらいずれかの孔に入ることにより、番号が選別されるようになっている。
【００３１】
ターンテーブル２の外周を囲んで円環状の水平板３が張設され、この水平板３上には、８個のサテライトユニット４が周方向に亘り略等間隔に配設され、このサテライトユニット４には、それぞれ操作部５が配設され、操作部５よりターンテーブル２寄りに表示部６が付設され、各操作部５の右側にコイン投入器10と、コイン投入器10から水平板３の外周縁寄りにコイン溜め部７とがそれぞれ設けられ、サテライトユニット４の表示部６には、５行・５列に番号が無作為に付されたマスが配列された状態が表示されており、ターンテーブル２で選別された番号がマス上の番号と一致したとき、そのマスが点灯表示され、点灯表示されたマスが縦、横、対角線上に配列された場合には、ビンゴとなって所定枚数のコイン24、25、26のいずれかがコイン溜め部７に払い出されるようになっている。
【００３２】
ターンテーブル２、水平板３およびサテライトユニット４を跨ぐように支持体８が架設され、この支持体８の下部中央から下方へ回転表示部９が垂設されている。
【００３３】
図３ないし図８に図示されるコイン投入器10は、ＡＢＳ樹脂を図示されない金型に射出成形し、その表面にアルミニュームの如き白銀色の塗膜を形成することによって構成されている（なお、コイン投入器10の材料は、合成樹脂でなくて、アルミニューム合金等の金属でもよい）。
【００３４】
コイン投入器10の基体部11の平面形状は、図５に図示されるように、前後長辺が略９０ｍｍ、左右両辺が略５０ｍｍの略矩形状に形成され、基体部11の厚さは、略３ｍｍとなっている。
【００３５】
図３、図４に図示されるように、基体部11の手前側の中央から左寄りに、丸い山状の隆起部12が形成され、隆起部12の奥部を残して手前側部分には、下方へ弯曲するとともに奥側から手前側に向って傾斜したコイン受け凹曲面部13と、コイン受け凹曲面部13の両側上縁に続く傾斜がさらに緩やかな案内曲面部14とが形成され、隆起部12の奥側縁には、図７に図示されるように、奥側鉛直面部15が形成され、コイン受け凹曲面部13の奥側縁にも、奥側鉛直面部15に対し６〜７ｍｍの間隔を存しかつ基体部11より下方へ２０ｍｍ下方へ突出して手前側鉛直面部16が形成され、隆起部12の略中央部分手前端面12ａと手前側鉛直面部16の後面16ａとは、略２．５ｍｍの巾のスリット17が存在するように、隆起部12の略中央部分手前端面12ａが形成されている。
【００３６】
図５に点線で図示されるように、基体部11および隆起部12の下面には、縦横に補強リブ18が形成され、補強リブ18の下面２個所に位置決め突起19が突設され、基体部11の奥右側には、基体部11の上面より僅かに突出し、基体部11を貫通して下方へ大きく突出した装着用筒部20が基体部11と一体的に形成されており、位置決め突起19は水平板３に形成された図示されない孔に嵌合されてコイン投入器10は位置決めされ、装着用筒部20は水平板３を貫通して水平板３の下方に配置された図示されないフレーム等の構造体に当接され、装着用筒部20の孔20ａを貫通したネジ（図示されず）は、前記構造体に螺着されることにより、コイン投入器10は水平板３に一体的に装着されている。
【００３７】
前記コイン受け凹曲面部13の上面には、３対の断面が半円筒状で直径が２ｍｍΦのコイン支持突条21、22、23が左右対称の位置関係で図９に図示される位置に前後鉛直面に沿い突設されている。
【００３８】
前記コイン投入器10に投入されたコイン24の通過を検出するコイン検出手段（図示されず）と、このコイン検出手段からの検出信号に基づいてコインをカウントする図示されないカウント手段とが設けられ、このカウント手段によるカウント枚数と、ゲーム実行中にペイアウトカウント手段（図示せず）によりカウントされてペイアウトされたコインのペイアウト枚数とからペイアウト率を演算する図示されない演算手段が設けられており、該演算手段で演算されたペイアウト率に基づいてコインが払い出されるようになっている。
【００３９】
図１ないし図９に図示の実施形態では、コイン受け凹曲面部13が図９に図示される点を通るように形成されているので、コイン受け凹曲面部13の横断面形状は、ｙ＝ａｘ２で表示される放物線に近い形状をなしており、このコイン受け凹曲面部13上の図９に図示される点に半径２ｍｍΦの半円筒状コイン支持突条21、22、23が設置されている。そのため、直径が２１．３ｍｍの最小径のコイン24は、最低位置で相互間隔が最も狭い１対のコイン支持突条21に支持され、直径が２４．２ｍｍの中径のコイン25は、次に高い位置で相互間隔が中程度の１対のコイン支持突条22に支持され、直径が２４．２ｍｍの最大径のコイン26は、最も高く相互間隔が最も広い１対のコイン支持突条23に支持される。ただし、中径のコイン25は、コイン支持突条21に接近して１対のコイン支持突条21のみに支持されるが、１対のコイン支持突条22に支持されることはない。
【００４０】
通常の人の親指の指先の巾は、最大径のコイン26の径よりも狭いため、親指の指先でコイン26の全面を押さえることができず、コイン26は倒れ易いが、１対のコイン支持突条21の相互間隔と１対のコイン支持突条23の相互間隔との差に比べると、コイン支持突条21の高さとコイン支持突条23の高さの差の方が大きいため、コイン26は高い位置、コイン26がコイン支持突条23で支持される中心角γは、コイン24がコイン支持突条21で支持される中心角αに比べて大きいので、コイン24に比べてコイン26は安定してコイン支持突条23に支持される。
【００４１】
そして、コイン支持突条21で支持されるコイン24の中心角αと、コイン支持突条22で支持されるコイン25の中心角βと、コイン支持突条23で支持されるコイン26の中心角γとは、
α＜β＜γ
なる関係が成立している。
【００４２】
また、例えばコイン24が左右対称中心よりいずれか一方へ片寄ってコイン投入器10に載せられた場合、片寄った側のコイン支持突条21、22、23のいずれかにコイン24が支持され、このコイン支持突条21、22、23のいずれかからコイン24に働く支持圧力と、コイン24の中心に働く下向きの重力とにより、コイン24はコイン支持突条23、22、21の順に接触支持されながら、片寄った側に対し反対側へ回転し、最終的には、１対のコイン支持突条21にコイン24は支持される。そしてこの状態では、前後に多数のコイン24が重ねられた場合でも、コイン24の周面は、凹凸とならずに円筒面に綺麗に揃えられるので、手前側のコイン24を奥に向って押せば、スリット17からコイン24を次々と円滑にビンゴゲーム装置１内のコイン受け（図示されず）に供給することができる。
【００４３】
さらに、コイン受け凹曲面部13およびコイン支持突条21、22、23は手前から奥に向って昇り勾配となっているため、コイン投入器10上で前後に多数重ねられたコイン24（コイン25、26であってもよい）の手前側のコイン24に接したプレーヤの親指の指先が停止しておれば、コイン24はスリット17からビンゴゲーム装置１内のコイン受けには供給されず、その状態を保持できる。そして必要に応じてプレーヤの親指の指先を奥へ移動させれば、スリット17からビンゴゲーム装置１内のコイン受けにコイン24を供給することができる。
【００４４】
さらにまた、コイン支持突条21、22、23はそれぞれ奥に向って前後方向へ直線状に指向しているため、コイン24（コイン25、26でも同様）が奥へ移動する際に、コイン24の中心点を中心としてコイン24が回転することがなく、安定して奥へ移動することができる。
【００４５】
図１ないし図９に図示の実施形態では、コイン24を支持するコイン支持突条22は、コイン受け凹曲面部13の周方向に亘りコイン支持突条21とコイン支持突条23との略中間位置に設定されているが、コイン支持突条22に支持されるコイン25の径は、コイン支持突条21に支持されるコイン24の径とコイン支持突条23に支持されるコイン26の径との相加平均値に近い値でなくて、コイン26の径に近い値となっているため、コイン支持突条22に支持されるコイン25は、コイン支持突条21に接近し、場合によっては接触することもあるが、図１０に図示するように、コイン24、25、26の径の値に対応してコイン受け凹曲面部13の周方向に沿ったコイン支持突条21、22、23の位置を設定すれば、径の異なるコイン24、25、26にそれぞれ１対１の対応した関係で、コイン24、25、26を、コイン支持突条21、22、23に個別に支持することができる。
【００４６】
図１ないし図１０に図示の実施形態では、コイン受け凹曲面部13の母線がｙ＝ａｘ２で示される放物線または放物線に近い形状をなし、その上面に半円筒状コイン支持突条21、22、23を形成したが、図１１に図示の放物線に、図１２に図示の突条27、28、29も先端を位置させて、突条27、28、29に、それぞれコイン24、25、26を載置できるように構成してもよい。
【００４７】
また、図１３に図示するように、コイン24、25、26に接する接線に沿う多角平面30、31、32にコイン受け面部を形成してもよい。
【００４８】
さらに、図１４に図示するように、コイン投入器40の基体部41のコイン受け凹曲面部43の母線形状を図１１に図示の放物線に形成してもよく、コイン投入器40、基体部41、隆起部42、コイン受け凹曲面部43、案内曲面部44、奥側鉛直面部45、手前側鉛直面部46、スリット47は、コイン投入器10、基体部11、隆起部12、コイン受け凹曲面部13、案内曲面部14、奥側鉛直面部15、手前側鉛直面部16、スリット17に対応している。コイン受け凹曲面部43がスリット17に向って上り勾配に形成されているので、プレイヤーが、複数枚のコインを指に載せつつ誘導し、スリット17にスライドさせることができる。
【００４９】
なお、本実施形態におけるコイン投入器は、往復移動するプッシャー（押出部材）によりフィールド上に載置されるコインを押し出してフィールドから落下させて行うコインゲーム装置にも利用できる（いわゆるプッシャータイプのコインゲーム装置）。その場合にコイン投入器は、上述の実施形態の構成に加えて、コイン誘導器に載置されたコインが誘導されてコイン受口に達し、達したコインがフィールドに向かって転がって行く通路と、転がったコインがフィールドに投入される出口とを有する構成にしてもよい。
【図面の簡単な説明】
【００５０】
【図１】本発明のコイン投入器10を適用したビンゴゲーム装置１の全体斜視図である。
【図２】図１の要部拡大斜視図である。
【図３】本発明のコイン投入器10の全体斜視図である。
【図４】本発明のコイン投入器10の正面図である。
【図５】本発明のコイン投入器10の平面図である。
【図６】図５のＶＩ−ＶＩ線に沿って裁断した縦断面図である。
【図７】図４のＶＩＩ−ＶＩＩ線に沿って裁断した横断面図である。
【図８】図４のＶＩＩＩ−ＶＩＩＩ線に沿って裁断した横断面図である。
【図９】図４の要部拡大正面説明図である。
【図１０】他の実施形態の図９と同様な要部拡大正面説明図である。
【図１１】放物線を画いた図面である。
【図１２】図１１に図示の放物線に母線が沿うように形成された他の実施形態の要部拡大正面説明図である。
【図１３】図１２と異なる他の実施形態の要部拡大正面説明図である。
【図１４】さらに他の実施形態の斜視図である。
【図１５】特許文献１に示されたコイン投入器の正面図である。
【図１６】図１３とは異なる従来のコイン投入器の正面図である。
【図１７】図１４の要部拡大正面図である。
【符号の説明】
【００５１】
１…ビンゴゲーム装置、２…ターンテーブル、３…水平板、４…サテライトユニット、５…操作部、６…表示部、７…コイン溜め部、８…支持体、９…回転表示部、
10…コイン投入器、11…基体部、12…隆起部、13…コイン受け凹曲面部、14…案内曲面部、15…奥側鉛直面部、16…手前側鉛直面部、17…スリット、18…補強リブ、19…位置決め突起、
20…装着用筒部、21…コイン支持突条、22…コイン支持突条、23…コイン支持突条、24…コイン、25…コイン、26…コイン、
27…コイン支持突条、28…コイン支持突条、29…コイン支持突条、
30…平面、31…平面、32…平面、
40…コイン投入器、41…基体部、42…隆起部、43…コイン受け凹曲面部、44…案内曲面部、45…奥側鉛直面部、46…手前側鉛直面部、47…スリット。
【図１】
2006068170.tif 000003
【図２】
2006068170.tif 000004
【図３】
2006068170.tif 000005
【図４】
2006068170.tif 000006
【図５】
2006068170.tif 000007
【図６】
2006068170.tif 000008
【図７】
2006068170.tif 000009
【図８】
2006068170.tif 000010
【図９】
2006068170.tif 000011
【図１０】
2006068170.tif 000012
【図１１】
2006068170.tif 000013
【図１２】
2006068170.tif 000014
【図１３】
2006068170.tif 000015
【図１４】
2006068170.tif 000016
【図１５】
2006068170.tif 000017
【図１６】
2006068170.tif 000018
【図１７】
2006068170.tif 000019